(57)【要約】【課題】携帯端末を用いて遠隔操作を行なうことが可能な温水機器において、携帯端末での操作性を向上させる。【解決手段】遠隔操作システム１は、温水機器１００と、温水機器１００との間で無線通信することが可能な携帯端末４００とを備える。温水機器１００は、給湯先に温水を供給するための給湯器１１０と、給湯器１１０を操作するためのリモコン１２０，１３０とを含む。携帯端末４００は、給湯器１１０を遠隔操作することが可能に構成される。携帯端末４００は、温水機器１００の操作用画面を表示するための表示部４０５を含む。携帯端末４００は、リモコン１２０，１３０および／または携帯端末４００におけるユーザ操作履歴に関する情報に基づいて、温水機器１００の操作用画面についての表示内容を変更する。【選択図】図４
2019205120.tif 000002
【特許請求の範囲】
【請求項１】
給湯先に温水を供給するための給湯器および前記給湯器を操作するための操作機器を含む温水機器と、
前記温水機器との間で無線通信することが可能であり、前記給湯器を遠隔操作することが可能に構成された携帯端末とを備え、
前記携帯端末は、前記温水機器の操作用画面を表示するための第１表示部を含み、
前記携帯端末は、前記操作機器および前記携帯端末の少なくとも一方におけるユーザ操作履歴に関する情報に基づいて、前記温水機器の操作用画面についての表示内容を変更するように構成される、温水機器の遠隔操作システム。
【請求項２】
前記携帯端末には、前記温水機器を操作するための操作用アプリケーションがインストールされており、
前記携帯端末は、ユーザ操作による前記給湯器の機能ごとの使用頻度に応じて、前記操作用アプリケーションを起動したときの表示内容を変更する、請求項１に記載の温水機器の遠隔操作システム。
【請求項３】
前記携帯端末には、前記給湯器の機能ごとに操作用画面が設定されており、
前記携帯端末は、前記操作用アプリケーションを起動したときに、使用頻度が最も高い機能についての操作用画面を前記第１表示部に表示する、請求項２に記載の温水機器の遠隔操作システム。
【請求項４】
前記携帯端末には、前記給湯器の複数の機能の操作用品を表示することが可能な操作用画面が設定されており、
前記携帯端末は、前記操作用アプリケーションを起動したときに、ユーザ操作による前記給湯器の機能ごとの使用頻度に応じて、操作用画面における前記操作用品の表示位置を変更する、請求項２に記載の温水機器の遠隔操作システム。
【請求項５】
前記携帯端末には、前記給湯器の各機能の操作用画面を選択するための選択ボタンが配列されたメニュー画面が設定されており、
前記携帯端末は、前記メニュー画面を表示したときに、ユーザ操作による前記給湯器の機能ごとの使用頻度に応じて、前記メニュー画面における前記選択ボタンの表示態様を変更する、請求項１に記載の温水機器の遠隔操作システム。
【請求項６】
前記携帯端末は、前記メニュー画面において、使用頻度の高い機能の選択ボタンを、使用頻度の低い選択ボタンよりも大きく表示する、請求項５に記載の温水機器の遠隔操作システム。
【請求項７】
前記携帯端末は、前記メニュー画面において、使用頻度の高い機能の順に選択ボタンのを配列する、請求項５または６に記載の温水機器の遠隔操作システム。
【請求項８】
前記メニュー画面は、異なるレベルの階層に割り当てられた複数のサブ画面を有しており、
前記携帯端末は、使用頻度の高い機能の選択ボタンを、使用頻度の低い選択ボタンよりも上位の階層のサブ画面に配置する、請求項５〜７のいずれか１項に記載の温水機器の遠隔操作システム。
【請求項９】
前記遠隔操作システムは、前記操作機器におけるユーザ操作履歴に関する情報に基づいて、前記給湯器の機能ごとの使用頻度を検出するとともに、前記給湯器の機能ごとの使用頻度に従った優先度情報を前記携帯端末に送信するように構成された検出手段をさらに備え、
前記携帯端末は、前記検出手段からの前記優先度情報に基づいて、前記温水機器の操作用画面についての表示内容を変更する、請求項１〜８のいずれか１項に記載の温水機器の遠隔操作システム。
【請求項１０】
前記温水機器および前記携帯端末と通信が可能に構成され、前記検出手段を含むサーバをさらに備える、請求項９記載の温水機器の遠隔操作システム。
【請求項１１】
前記温水機器は、前記携帯端末との通信を行なう通信アダプタを含み、
前記検出手段は、前記給湯器、前記操作機器または前記通信アダプタのいずれかに含まれる、請求項９に記載の温水機器の遠隔操作システム。
【請求項１２】
前記操作機器は、浴室内に設置される第１リモコンと、浴室外に設置される第２リモコンとを含む、請求項１〜１１のいずれか１項に記載の温水機器の遠隔操作システム。
【請求項１３】
前記温水機器および前記携帯端末と通信が可能に構成されたサーバをさらに備え、
前記操作用アプリケーションは、前記サーバから前記携帯端末にダウンロードすることができる、請求項２に記載の温水機器の遠隔操作システム。
【請求項１４】
前記操作機器は、操作部と、第２表示部と、制御部とを含み、
前記制御部は、前記操作部における前記給湯器の機能ごとの使用頻度に応じて、前記操作機器を起動したときの前記第２表示部の表示内容を変更する、請求項１に記載の温水機器の遠隔操作システム。
【請求項１５】
前記携帯端末は、ユーザからの変更許可があった場合に、前記温水機器の操作用画面についての表示内容を変更する、請求項１に記載の温水機器の遠隔操作システム。
【請求項１６】
携帯端末によって温水機器を遠隔操作するためのプログラムであって、
前記温水機器は、給湯先に温水を供給するための給湯器および前記給湯器を操作するための操作機器を含み、
前記携帯端末は、前記温水機器との間で無線通信するとともに、前記温水機器の操作用画面を表示するように構成されており、
前記プログラムは、前記携帯端末に搭載されたプロセッサに、
前記操作機器および前記携帯端末の少なくとも一方における前記給湯器の機能ごとの使用頻度に関する情報を取得するステップと、
前記温水機器の操作用画面を前記携帯端末に表示するステップと、
前記温水機器の操作用画面の表示内容を、前記使用頻度に応じて変更するステップとを実行させる、プログラム。
【発明の詳細な説明】
【技術分野】
【０００１】
本開示は、温水機器の遠隔操作システムおよびプログラムに関し、より特定的には、温水機器を遠隔操作するための携帯端末の操作性を向上させるための技術に関する。
【背景技術】
【０００２】
携帯端末を用いて宅内の温水機器を屋外から遠隔操作することができるシステムが知られている。たとえば、特開２０１５−１５６５９８号公報（特許文献１）には、携帯端末から公衆回線を経由して送信される遠隔操作信号を通信処理装置が受け付けて、給湯器のコントローラに対して遠隔操作信号に基づく制御指令を出力する構成が記載されている。
【先行技術文献】
【特許文献】
【０００３】
【特許文献１】特開２０１５−１５６５９８号公報
【特許文献２】特開２００３−３０９８８４号公報
【特許文献３】特開平９−２３４８７号公報
【発明の概要】
【発明が解決しようとする課題】
【０００４】
最近の温水機器は、給湯温度調節機能だけでなく、浴槽の自動お湯はり機能あるいは床暖房のタイマー運転機能などの多くの機能を備えており、それに伴って必要となる操作項目あるいは設定項目が増加している。そのため、携帯端末のような表示領域が制限されている小型の機器においては、操作用品を複数の操作画面に分散して配置することが必要となる。そうすると、携帯端末を用いて温水機器の遠隔操作を行なう場合に、使用する機能に応じて操作画面を切換えて操作することが必要となる。使用する機能によっては、所望の操作画面を表示するために多くの操作が必要となってしまい、ユーザの操作性が損なわれる場合がある。
【０００５】
本開示は、このような課題を解決するためになされたものであって、その目的は、携帯端末を用いて遠隔操作を行なうことが可能な温水機器において、携帯端末での操作性を向上させることである。
【課題を解決するための手段】
【０００６】
本開示のある局面に従う遠隔操作システムは、温水機器についての遠隔操作を行なうためのシステムである。遠隔操作システムは、温水機器と、温水機器との間で無線通信することが可能な携帯端末とを備える。温水機器は、給湯先に温水を供給するための給湯器および給湯器を操作するための操作機器を含む。携帯端末は、給湯器を遠隔操作することが可能に構成される。携帯端末は、温水機器の操作用画面を表示するための第１表示部を含む。携帯端末は、操作機器および携帯端末の少なくとも一方におけるユーザ操作履歴に関する情報に基づいて、温水機器の操作用画面についての表示内容を変更する。
【０００７】
このような構成にすることによって、携帯端末から温水機器を遠隔操作するように構成されたシステムにおいて、携帯端末における温水機器の操作用画面の表示内容が、操作機器および／または携帯端末におけるユーザ操作履歴に基づいて変更される。すなわち、携帯端末における遠隔操作用画面が、ユーザの操作履歴を反映した表示内容に変更されるので、ユーザの操作性を向上させることができる。
【０００８】
好ましくは、携帯端末には、温水機器を操作するための操作用アプリケーションがインストールされている。携帯端末は、ユーザ操作による給湯器の機能ごとの使用頻度に応じて、操作用アプリケーションを起動したときの表示内容を変更する。
【０００９】
このような構成とすることによって、携帯端末において操作用アプリケーションを起動した際に、ユーザの使用頻度の高い機能に関する表示を優先的に表示することができる。したがって、ユーザは、操作用アプリケーションを起動後に、使用頻度の高い機能の操作を容易に行なうことができる。
【００１０】
好ましくは、携帯端末には、給湯器の機能ごとに操作用画面が設定されている。携帯端末は、操作用アプリケーションを起動したときに、使用頻度が最も高い機能についての操作用画面を第１表示部に表示する。
【００１１】
このような構成とすることによって、ユーザが操作用アプリケーションを起動したときに、使用頻度が最も高い機能についての操作用画面が最初に表示される。これにより、操作用アプリケーションの起動時に、使用頻度の最も高い機能の操作用画面を検索する必要がなくなるので、ユーザの操作性を向上させることができる。
【００１２】
好ましくは、携帯端末には、給湯器の複数の機能の操作用品を表示することが可能な操作用画面が設定されている。携帯端末は、操作用アプリケーションを起動したときに、ユーザ操作による給湯器の機能ごとの使用頻度に応じて、操作用画面における操作用品の表示位置を変更する。
【００１３】
このような構成とすることによって、操作用画面に給湯器の複数の機能の操作用品が表示される場合に、ユーザが使用しやすい位置に使用頻度の高い機能を表示することができる。これによりユーザの操作性を向上させることができる。
【００１４】
好ましくは、携帯端末には、給湯器の各機能の操作用画面を選択するための選択ボタンが配列されたメニュー画面が設定されている。携帯端末は、メニュー画面を表示したときに、ユーザ操作による給湯器の機能ごとの使用頻度に応じて、メニュー画面における選択ボタンの表示態様を変更する。
【００１５】
このような構成とすることによって、各機能の操作用画面を選択するメニュー画面において、使用頻度の高い機能の操作用画面を選択する選択ボタンの表示態様が変更される。これによって、ユーザが当該選択ボタンを選択しやすくなるので、ユーザの操作性を向上させることができる。
【００１６】
好ましくは、携帯端末は、メニュー画面において、使用頻度の高い機能の選択ボタンを、使用頻度の低い選択ボタンよりも大きく表示する。
【００１７】
このような構成とすることによって、使用頻度の高い機能の選択ボタンが大きく表示されるので、メニュー画面においてユーザが当該選択ボタンを認識しやすくなる。したがって、ユーザの操作性を向上させることができる。
【００１８】
好ましくは、携帯端末は、メニュー画面において、使用頻度の高い機能の順に選択ボタンを配列する。
【００１９】
このような構成とすることによって、使用頻度の高い機能の選択ボタンが、ユーザが認識しやすい位置に優先的に配置されることになる。したがって、ユーザの操作性を向上させることができる。
【００２０】
好ましくは、メニュー画面は、異なるレベルの階層に割り当てられた複数のサブ画面を有している。携帯端末は、使用頻度の高い機能の選択ボタンを、使用頻度の低い選択ボタンよりも上位の階層のサブ画面に配置する。
【００２１】
このような構成とすることによって、使用頻度の高い機能の選択ボタンがより上位の階層の画面に配置される。下位の階層の画面に選択ボタンが配置されていると、当該選択ボタンに到達するために多くの操作が必要となるが、上位の階層の画面に配置されていれば比較的少ない操作によって所望の選択ボタンに到達することができる。したがって、ユーザの操作性を向上させることができる。
【００２２】
好ましくは、遠隔操作システムは、操作機器におけるユーザ操作履歴に関する情報に基づいて、給湯器の機能ごとの使用頻度を検出するとともに、給湯器の機能ごとの使用頻度に従った優先度情報を携帯端末に送信するように構成された検出手段をさらに備える。携帯端末は、検出手段からの優先度情報に基づいて、温水機器の操作用画面についての表示内容を変更する。
【００２３】
好ましくは、遠隔操作システムは、温水機器および携帯端末と通信が可能に構成され、検出手段を含むサーバをさらに備える。
【００２４】
好ましくは、温水機器は、携帯端末との通信を行なう通信アダプタを含む。検出手段は、給湯器、操作機器または通信アダプタのいずれかに含まれる。
【００２５】
温水機器の操作用画面の優先度を決定するための検出は、外部サーバ、あるいは、温水機器における給湯器、操作機器または通信アダプタのいずれかにおいて実行することができる。
【００２６】
好ましくは、操作機器は、浴室内に設置される第１リモコンと、浴室外に設置される第２リモコンとを含む。
【００２７】
このような構成とすることによって、浴室内に設置されるリモコン、および、たとえば台所のような浴室外に設置されるリモコンの操作履歴を反映して、操作用画面の優先度を決定することができる。
【００２８】
好ましくは、温水機器および携帯端末と通信が可能に構成されたサーバをさらに備える。操作用アプリケーションは、サーバから携帯端末にダウンロードすることができる。
【００２９】
このような構成とすることによって、携帯端末で使用される操作用アプリケーションをユーザが容易に取得することができ、また、アプリケーションのバージョンアップも容易に実行することができる。
【００３０】
好ましくは、操作機器は、操作部と、第２表示部と、制御部とを含む。制御部は、操作部における給湯器の機能ごとの使用頻度に応じて、操作機器を起動したときの第２表示部の表示内容を変更する。
【００３１】
リモコンの設置場所によっては、他のリモコンの操作履歴および携帯端末の操作履歴では、当該リモコンの操作状態を正しく表現できない場合もあり得る。このような構成とすることによって、リモコンの表示については、当該リモコンで行なわれたユーザ操作を反映して表示内容が変更されるので、ユーザの操作性を向上させることができる。
【００３２】
好ましくは、携帯端末は、ユーザからの変更許可があった場合に、温水機器の操作用画面についての表示内容を変更する。
【００３３】
ユーザによっては、自身の意図にかかわらず表示内容が変更されることを好まないユーザもいる。したがって、ユーザの許可があった場合に限って表示内容を変更することによって、かえってユーザの操作性が低下してしまうことを抑制できる。
【００３４】
本開示の他の局面に従うプログラムは、携帯端末によって温水機器を遠隔操作するためのプログラムである。温水機器は、給湯先に温水を供給するための給湯器および給湯器を操作するための操作機器を含む。携帯端末は、温水機器との間で無線通信するとともに、温水機器の操作用画面を表示するように構成されている。プログラムは、携帯端末に搭載されたプロセッサに、ｉ）操作機器および携帯端末の少なくとも一方における給湯器の機能ごとの使用頻度に関する情報を取得するステップと、ｉｉ）温水機器の操作用画面を携帯端末に表示するステップと、ｉｉｉ）温水機器の操作用画面の表示内容を、使用頻度に応じて変更するステップとを実行させる。
【発明の効果】
【００３５】
本開示によれば、携帯端末を用いて温水機器の遠隔操作が可能なシステムにおいて、温水機器に含まれる操作機器（リモコン）および／または携帯端末のユーザ操作履歴に関する情報に基づいて、携帯端末における操作用画面の表示内容を変更することができる。これにより、携帯端末の操作用画面の表示内容を、リモコンおよび／または携帯端末におけるユーザの操作実績を反映した内容に変更することができる。すなわち、携帯端末の操作用画面をユーザのニーズに合致した表示内容とできるので、携帯端末におけるユーザの操作性を向上させることができる。
【図面の簡単な説明】
【００３６】
【図１】実施の形態に従う温水機器の遠隔操作システムの概略構成を示す図である。
【図２】図１における温水機器の機能ブロック図である。
【図３】図１におけるサーバの機能ブロック図である。
【図４】実施の形態における操作画面変更機能を説明するためのシーケンス図である。
【図５】浴室内に設置されたリモコンの操作履歴の一例を示す図である。
【図６】台所に設置されたリモコンの操作履歴の一例を示す図である。
【図７】携帯端末の操作履歴の一例を示す図である。
【図８】サーバにおける制御の詳細を説明するためのフローチャートである。
【図９】携帯端末およびリモコンにおける制御の詳細を説明するためのフローチャートである。
【図１０】実施例１における操作画面変更機能による携帯端末の初期画面の変化を説明するための図である。
【図１１】実施例２における携帯端末の表示領域を説明するための図である。
【図１２】実施例２の操作画面変更機能による携帯端末の初期画面の変化を説明するための図である。
【図１３】実施例３におけるメニュー画面の表示領域を説明するための図である。
【図１４】実施例４におけるメニュー画面の階層を説明するための図である。
【図１５】実施例５におけるリモコンについての操作画面変更機能を説明するための図である。
【発明を実施するための形態】
【００３７】
以下、本開示の実施の形態について、図面を参照しながら詳細に説明する。なお、図中同一または相当部分には同一符号を付してその説明は繰り返さない。
【００３８】
［遠隔操作システムの構成］
図１は、本開示の実施の形態に係る温水機器の遠隔操作システム１の概略構成を示す図である。図１を参照して、遠隔操作システム１は、温水機器１００と、サーバ３００と、スマートフォンに代表される携帯端末４００，４１０を含んで構成される。
【００３９】
温水機器１００は、給湯器１１０と、リモートコントローラ１２０，１３０と、通信アダプタ１４０とを含む。給湯器１１０は、ガス等の燃料燃焼式またはヒートポンプ式で構成され、常温の水道水を加熱して温水を生成する。給湯器１１０で生成された温水は、図示しない給湯配管を経由して、浴槽、シャワー、カラン、浴室暖房乾燥機、床暖房等の給湯先へ供給される。
【００４０】
給湯器１１０は、リモートコントローラ１２０，１３０からの運転指令に従って運転される。リモートコントローラ１２０は通信線１２６によって給湯器１１０と接続されている。リモートコントローラ１３０は通信線１３６によって給湯器１１０と接続されている。通信線１２６，１３６には、たとえば２心通信線が用いられる。なお、給湯器１１０およびリモートコントローラ１２０，１３０間の通信は、公知のいかなる規格に従ったものであってもよく、また、有線であっても無線であってもよい。
【００４１】
リモートコントローラ１２０は、浴室の壁面に配設される。以下では、リモートコントローラ１２０を「浴室リモコン１２０」とも称する。浴室リモコン１２０は、給湯器１１０の運転を入り切りするための運転スイッチと、操作スイッチと、表示部とを含む。運転スイッチおよび操作スイッチは、代表的には、プッシュボタンまたはタッチボタンによって構成することができる。表示部は、代表的には、液晶パネルによって構成することができる。
【００４２】
リモートコントローラ１３０は、浴室の外部であって、例えば、台所の壁面に配設される。以下では、リモートコントローラ１３０を「台所リモコン１３０」とも称する。台所リモコン１３０についても、浴室リモコン１２０と同様に運転スイッチと、操作スイッチと、表示部とを含む。
【００４３】
台所リモコン１３０は、無線通信による通信経路１４１によって通信アダプタ１４０に接続されている。通信アダプタ１４０は、無線ＬＡＮ（Local  Area  Network）による通信を可能とするための通信インターフェースである。通信アダプタ１４０は、無線ルータ２００との間で無線ＬＡＮにより通信を行なうことが可能に構成されている。なお、図１においては、通信アダプタ１４０が個別に設けられる構成となっているが、通信アダプタ１４０の機能が、台所リモコン１３０などの温水機器１００の他の機器に含まれてもよい。
【００４４】
無線ルータ２００は、インターネットに代表される通信ネットワーク１０を経由して、管理センター３０に配置されたサーバ３００にアクセス可能に構成されている。したがって、台所リモコン１３０は、通信アダプタ１４０および無線ルータ２００を経由して、サーバ３００との間で双方向に通信することができる。
【００４５】
携帯端末４００，４１０は、代表的にはスマートフォン、タブレット、携帯電話などのような小型の通信端末である。携帯端末４００，４１０は、無線ルータ２００と無線ＬＡＮで通信を行なうことによって、通信ネットワーク１０を介してサーバ３００との間で双方向に通信することができる。あるいは、携帯端末４００，４１０は、携帯電話回線を用いて基地局２０と通信することによって通信ネットワーク１０にアクセスすることも可能である。携帯端末４００，４１０は、無線ＬＡＮおよび／または携帯電話回線を経由して、温水機器１００と双方向に通信することができる。
【００４６】
携帯端末４００，４１０は、表示部と操作部とが一体となったタッチパネル４０５，４１５をそれぞれ含む。携帯端末４００，４１０のユーザは、温水機器１００の遠隔操作を行なうための操作用アプリケーション（プログラム）を、通信ネットワーク１０を介してサーバ３００からダウンロードすることができる。ユーザは、携帯端末４００，４１０にダウンロードした操作用アプリケーションを起動し、タッチパネル４０５，４１５に表示された操作用品を操作することによって、温水機器１００の各種パラメータの設定をしたり、各機能についての運転指令を与えることができる。操作用アプリケーションをサーバ３００からダウンロードできるので、操作用アプリケーションの取得およびバージョンアップを簡便に行なうことができる。
【００４７】
図２は、図１における温水機器１００の機能ブロック図である。図２を参照して、給湯器１１０は、制御部１１１と、メモリ１１２と、通信部１１３と、機器類１１４と、センサ１１５とを含む。
【００４８】
機器類１１４には、いずれも図示していないが、温水を生成するためのバーナ（燃焼部）およびファン、ならびに温水を供給するためのポンプおよびバルブなどが含まれる。センサ１１５には、水温あるいは浴室内温度を検出するための温度センサ、および浴槽内の水位を検出するための水位センサなどが含まれる。
【００４９】
メモリ１１２には、給湯温度、お湯はり時の水位、床暖房の設定温度、タイマー運転の設定時間などのパラメータ、および制御部１１１のプロセッサにより実行されるプログラムが記憶されている。
【００５０】
通信部１１３は、浴室リモコン１２０および台所リモコン１３０との間で通信を行なうための通信インターフェースである。また、通信部１１３は、台所リモコン１３０および通信アダプタ１４０を経由して、サーバおよび携帯端末４００，４１０とも通信を行なうことができる。
【００５１】
通信部１１３は、浴室リモコン１２０、台所リモコン１３０および携帯端末４００，４１０からの情報を受けて制御部１１１へ出力する。また、通信部１１３は、センサ１１５で検出された検出値およびメモリ１１２に記憶されている設定パラメータなどの情報を、浴室リモコン１２０、台所リモコン１３０および携帯端末４００，４１０へと出力する。
【００５２】
制御部１１１は、プロセッサであるＣＰＵ（Central  Processing  Unit）を含み、センサ１１５において検出された信号およびメモリ１１２に記憶された各種パラメータに基づいて、機器類１１４を制御する。
【００５３】
浴室リモコン１２０は、制御部１２１と、メモリ１２２と、通信部１２３と、表示部１２４と、操作部１２５とを含む。通信部１２３は、給湯器１１０との間で双方向の通信を行なうための通信インターフェースである。
【００５４】
操作部１２５は、代表的にはプッシュボタンあるいはタッチパネル上のソフトウェアスイッチによって構成される。ユーザによる操作部１２５の操作に応じて電気信号が制御部１２１へ入力されることにより、制御部１２１はユーザの操作指令を検出することができる。
【００５５】
表示部１２４は、たとえば蛍光表示管あるいは液晶パネルによって構成することができる。表示部１２４は、制御部１２１からの制御に従って、給湯器１１０の状態および各種パラメータの状態などの情報を視覚的に表示する。なお、表示部１２４にタッチパネルが用いられる場合には、操作部１２５の一部または全部を、タッチパネル上にソフトウェア処理によって表示されるソフトスイッチとすることが可能である。
【００５６】
制御部１２１は、代表的には、マイクロコンピュータによって構成される。制御部１２１は、メモリ１２２に格納されたプログラムを実行することによるソフトウェア処理によって、操作部１２５の操作に応じた運転指令を示す信号を、通信部１２３を介して給湯器１１０へ出力する。また、制御部１２１は、表示部１２４の表示内容を制御する。
【００５７】
台所リモコン１３０は、制御部１３１と、メモリ１３２と、通信部１３３と、表示部１３４と、操作部１３５とを含む。通信部１３３は、給湯器１１０との間で双方向の通信を行なうための通信インターフェースである。また、通信部１３３は、通信アダプタ１４０とも通信が可能に構成されており、通信アダプタ１４０を介して通信ネットワーク１０および携帯端末４００，４１０との間で通信を行なうことができる。
【００５８】
台所リモコン１３０における制御部１３１、メモリ１３２、表示部１３４および操作部１３５の基本的な構成は、上述した浴室リモコン１２０における制御部１２１、メモリ１２２、表示部１２４および操作部１２５と同様であるので、各要素の説明は繰り返さない。
【００５９】
図３は、管理センター３０に配置されるサーバ３００の機能ブロック図である。図３を参照して、サーバ３００は、ＣＰＵを含む制御部３１０と、メモリ３２０と、通信部３３０とを含む。サーバ３００は、通信部３３０および通信ネットワーク１０を経由して、家庭あるいは宿泊施設等の各顧客に設置された温水機器１００と通信することが可能である。サーバ３００は、通信ネットワーク１０を経由して各顧客の温水機器１００の各種情報を所定時間ごと（たとえば１時間ごと）に収集し、メモリ３２０に記憶する。サーバ３００は、収集した情報を管理するとともに、当該情報を解析することによって、温水機器１００および携帯端末４００，４１０に対して追加的な情報を提供する。
【００６０】
また、サーバ３００は、アプリケーションサーバとしての機能も有しており、たとえば、携帯端末４００，４１０からの遠隔操作用の専用アプリケーションを提供したり、給湯器１１０および各リモコン１２０，１３０で用いられる制御プログラムのバージョンアップを行なったりする。
【００６１】
最近の温水機器１００においては、給湯温度調節機能だけでなく、浴槽の自動お湯はり機能あるいは床暖房のタイマー運転機能などの多くの機能が備えられている。これに伴って、操作項目ならびに各機能についてのパラメータの設定項目が増加する傾向にある。一方で、温水機器１００を操作するためのリモコン１２０，１３０および携帯端末４００，４１０における表示領域には制限があるため、操作用品（ボタン，アイコン）を複数の画面に分散して配置し、使用する機能に応じて操作画面を切換えながら使用することが必要となる。そうすると、使用する機能によっては、所望の操作画面を表示するために多くの操作が必要となってしまう可能性があり、ユーザの操作性が損なわれる場合がある。
【００６２】
そこで、本実施の形態においては、ユーザによるリモコンおよび／または携帯端末の操作履歴に基づいて、リモコンおよび携帯端末の表示画面の表示態様を変更する操作画面変更機能を採用する。具体的には、直近の所定期間における各画面および機能の使用頻度に応じて、操作画面の優先順位あるいは表示画面上での操作用品の配置を変更する。これによって、使用頻度の高い機能についての操作画面に到達するまでの時間および操作回数を削減することができるので、ユーザの操作性を向上させることが可能となる。
【００６３】
［操作画面変更機能の説明］
図４は、本実施の形態における操作画面変更機能を説明するためのシーケンス図である。図４を参照して、温水機器１００の各リモコン１２０，１３０は、ユーザによって操作部の操作が行なわれると、当該操作に関する情報（操作画面の情報，操作機能の情報など）を、通信ネットワーク１０を経由してサーバ３００へ送信する（Ｐ１０）。また、携帯端末４００，４１０においても、温水機器１００の遠隔操作用アプリケーションにおける画面操作に関する情報がサーバ３００へ送信される（Ｐ３０）。
【００６４】
サーバ３００においては、温水機器１００および携帯端末４００，４１０から受信した操作情報を、各操作が実行された操作日（および操作時間）とともに、操作履歴情報としてメモリ３２０に記憶する（Ｐ２０）。サーバ３００は、記憶された操作履歴情報から、操作画面および機能についての優先度を判定する（Ｐ２２）。具体的には、直近の所定期間（たとえば、１週間）における各操作画面および各機能の使用頻度を検出し、使用頻度が高い操作画面および機能の優先度が高くなるように優先度を決定する。そして、サーバ３００は、決定した優先度に関する情報（優先度情報）を、温水機器１００および各携帯端末４００，４１０に対して、通信ネットワーク１０を経由して送信する（Ｐ２４）。
【００６５】
温水機器１００および各携帯端末４００，４１０は、サーバ３００から受信した優先度情報をそれぞれのメモリに記憶する（Ｐ１２，Ｐ３２）。そして、次回のリモコン起動時および携帯端末４００，４１０における操作用アプリケーションの起動時において、各リモコン１２０，１３０および携帯端末４００，４１０は、記憶された優先度情報に従って変更された操作画面を表示部に表示する（Ｐ１４，Ｐ３４）。
【００６６】
ここで、サーバ３００における優先度の判定については、リモコンおよび携帯端末の全体での使用頻度に基づいて共通の優先度を設定するようにしてもよいし、個別の機器ごとに独立して優先度を設定してもよい。また、リモコンの使用頻度に基づいた携帯端末についての優先度の設定、あるいは携帯端末の使用頻度に基づいたリモコンについての優先度の設定とすることも可能である。なお、リモコンにおいて使用頻度の高い操作項目と、携帯端末において使用頻度の高い操作項目とは異なる場合があるため、個別の機器ごとの使用頻度に応じて、対応する機器における優先度を設定することがより好ましい。以降の説明においては、リモコンの使用頻度に基づいて当該リモコンにおける優先度を設定し、携帯端末における使用頻度に基づいて当該携帯端末における優先度を設定する場合を例として説明する。
【００６７】
図５〜図７は、それぞれ、サーバ３００に記憶された浴室リモコン１２０、台所リモコン１３０および携帯端末４００，４１０の操作履歴の一例を示す図である。
【００６８】
まず図５を参照して、浴室リモコン１２０の場合には、基本的には浴室内の機器の操作が主になる。そのため、たとえば、図５の例においては、おふろの追い焚き、カラン，シャワーの給湯温度の設定、浴槽の水位設定などの操作回数が多くなっている。
【００６９】
次に図６を参照して、台所リモコン１３０は、居住者が頻繁に往来する場所に設置されているため、台所だけでなく、リビングや浴室内の機器についての操作も多くなる。たとえば、図６の例においては、リビングに設置された床暖房についての操作回数が最も多くなっている。また、おふろの自動運転の操作についても、台所リモコン１３０における操作回数が多くなっている。
【００７０】
なお、図６の例は１１月頃（冬季）の場合の操作履歴であるため、床暖房の操作回数が多くなっているが、７月あるいは８月のような夏季の場合には、床暖房についてはほとんど操作されなくなることが予想される。
【００７１】
図７は携帯端末４００，４１０についての操作履歴であるが、図７の場合には、床暖房に関する操作およびおふろのタイマー予約の操作が多くなっている。図７の例は、ユーザが外出先から機器を操作している例であり、帰宅時におふろの準備が完了するように、あるいは帰宅時までに室内が暖められているようにするための操作である。
【００７２】
なお、携帯端末４００，４１０については、外出先から機器を操作するだけでなく、宅内においても、移動型のリモコンとして使用することが可能である。ユーザがリビングでくつろいでいる場合や寝室にいる場合など、宅内においてリモコン１２０，１３０から離れた場所にいる場合には、携帯端末４００，４１０を用いて機器を操作することで、わざわざリモコンの設置場所まで移動しなくても機器の操作を行なうことができる。
【００７３】
そのため、携帯端末４００，４１０を宅内のリモコンとして使用する場合には、携帯端末４００，４１０の操作履歴は、図６の台所リモコン１３０に類似した結果となることが考えられる。
【００７４】
サーバ３００は、リモコン１２０，１３０および携帯端末４００，４１０からの操作情報を上記の図５〜図７のような操作履歴情報として記憶し、この操作履歴情報に基づいて各機能の優先度を決定する。
【００７５】
図８は、サーバ３００における制御の詳細を説明するためのフローチャートである。図８に示されるフローチャートは、サーバ３００の制御部３１０において、所定のタイミングで実行される。具体的には、たとえば、温水機器１００あるいは携帯端末４００，４１０から操作情報を受信したタイミング、および、１時間あるいは１日のような予め定められた期間ごとのタイミングで実行される。
【００７６】
図８を参照して、制御部３１０は、ステップ（以下、ステップをＳと略す。）１００にて、温水機器１００および／または携帯端末４００，４１０から送信された操作情報を受信し、操作履歴としてメモリ３２０に記憶する。なお、当該制御が操作情報の受信タイミング以外で実行される場合には、Ｓ１００の処理はスキップされる。
【００７７】
その後、制御部３１０は、Ｓ１１０にて、記憶されている操作履歴情報から使用頻度を学習する。具体的には、操作履歴情報において直近の所定期間（たとえば、１週間）における操作画面、機能、操作用品ごとの使用頻度を算出する。ここで操作用品とは、ハードウェアのプッシュボタン、およびタッチパネル上に表示されるソフトウェアスイッチを含む。
【００７８】
制御部３１０は、Ｓ１２０にて、Ｓ１１０で算出した使用頻度に従って、各操作画面、機能、操作用品についての優先度を決定する。このとき、浴室リモコン１２０、台所リモコン１３０、および携帯端末４００，４１０の各々について、個別に優先度が決定される。その後、制御部３１０は、Ｓ１３０にて、温水機器１００および各携帯端末に対して、決定された優先度情報を送信する。
【００７９】
次に、リモコン１２０，１３０および携帯端末４００，４１０の各機器において実行される制御について図９のフローチャートを用いて説明する。図９に記載されたフローチャートは、各機器に含まれる制御部において、サーバ３００から優先度情報を受信したタイミングで実行される。
【００８０】
図９を参照して、各機器の制御部は、Ｓ２００において、サーバ３００から送信された優先度情報を受信すると、Ｓ２１０に処理を進めて、当該優先度情報を操作画面の表示変更情報としてメモリに記憶する。
【００８１】
そして、Ｓ２２０にて、携帯端末４００，４１０においては、遠隔操作用の専用アプリケーションが起動されたか否かが判断され、リモコン１２０，１３０においては、運転スイッチによりリモコンが起動されたか否かが判断される。
【００８２】
操作用アプリケーションの起動、および、リモコンの起動がされない場合（Ｓ２２０にてＮＯ）は、処理がＳ２２０に戻される。操作用アプリケーションの起動、および、リモコンの起動が行なわれた場合（Ｓ２２０にてＹＥＳ）は、処理がＳ２３０に進められて、各制御部は、優先度に応じた表示態様の変更を許可するか否かのメッセージを表示部に表示し、ユーザに変更の要否を問い合わせる。
【００８３】
ユーザが画面表示態様の変更に同意した場合（Ｓ２３０にてＹＥＳ）は、処理がＳ２４０に進められて、各制御部は、Ｓ２１０で記憶した優先度に応じた表示態様に変更して、表示部に画面を表示する。一方、ユーザが画面表示態様の変更に同意しなかった場合（Ｓ２３０にてＮＯ）は、Ｓ２５０に処理を進めて、前回と同様の表示態様で画面を表示する。
【００８４】
［画面の表示態様の説明］
図１０〜図１５を用いて、本実施の形態の操作画面変更機能における画面表示態様の変更の例について説明する。なお、図１０〜図１４（実施例１〜実施例４）については、携帯端末４００，４１０についての画面変更の例について説明し、図１５（実施例５）については、リモコン１３０についての画面変更の例について説明する。
【００８５】
（実施例１）
図１０は、実施例１における操作画面変更機能による携帯端末４００，４１０の初期画面の変化を説明するための図である。図１０を参照して、図１０（ａ）は、変更前のデフォルトの初期画面であり、図１０（ｂ）が優先度に基づいた変更後の初期画面である。
【００８６】
デフォルト画面においては、たとえば給湯機能の操作画面が表示部に表示されるようになっている。給湯機能の操作画面においては、タッチパネル４０５，４１５の中央領域に、台所等のカランから供給される温水の現在の給湯温度の設定温度および設定変更用の操作ボタン（ソフトスイッチ）が表示されており、床暖房機能およびおふろ機能に関しては、タッチパネル４０５，４１５の左右の領域に、現在の設定温度の表示のみがモニターできるようになっている。また、表示部４０５，４１５の下段部には、全体のメニュー画面を表示するための操作ボタンが表示されている。
【００８７】
これを、たとえば図７で示した操作履歴に基づいて、床暖房機能についての優先度が高く設定された場合には、次回の操作用アプリケーションの起動時においては、図１０（ｂ）のように、床暖房用の操作画面が初期画面として表示される。床暖房用の操作画面においては、タッチパネル４０５，４１５の中央領域に、床暖房の現在の設定温度と、設定温度変更用の操作ボタンが表示されている。一方で、給湯機能およびおふろ機能に関しては、タッチパネル４０５，４１５の左右の領域に、現在の設定温度のみが表示されている。また、タッチパネル４０５，４１５の下段部には、メニュー画面表示の操作ボタンとともに、床暖房の予約設定画面への切換用の操作ボタン、および床暖房開始用の操作ボタンが表示されている。
【００８８】
初期画面として常にデフォルト用の画面を表示する場合には、使用頻度の高い機能については、その都度所望の操作画面に切換えるための操作が必要となる。一方で、本実施の形態のように使用頻度の高い機能についての操作画面を初期画面として表示することによって、遠隔操作用アプリケーション起動時に、当該使用頻度の高い機能の操作画面へ切換える操作を省略できるので、ユーザの操作性，利便性を向上させることが可能となる。
【００８９】
（実施例２）
実施例１においては、優先度に応じて、表示する全体の画面を変更する場合について説明した。実施例２においては、携帯端末の表示部において、優先度に応じて表示領域を変更する場合について説明する。
【００９０】
図１１は、実施例２における携帯端末４００，４１０の表示領域を説明するための図である。実施例２においては、初期画面において３つの表示領域５００〜５２０が設定されており、各表示領域に機能ごとの状態および操作用品が表示されるようになっている。
【００９１】
３つの表示領域５００〜５２０は表示領域の面積が異なっており、「Ａ」で示されている表示領域５００の面積は、「Ｂ」，「Ｃ」で示されている表示領域５１０，５２０の面積よりも大きくなっている。実施例２においては、使用頻度が最も高い機能を表示面積の広い表示領域５００へ表示し、２番目に使用頻度が高い機能を表示領域５１０へ表示し、３番目に使用頻度が高い機能を表示領域５２０へ表示する。
【００９２】
図１２は、実施例２の操作画面変更機能による携帯端末４００，４１０の初期画面の変化を説明するための図である。図１２（ａ）は変更前のデフォルトの初期画面の例であり、図１２（ｂ）は床暖房機能の優先度が最も高い場合の初期画面の例である。また、図１２（ｃ）はおふろ機能の優先度が最も高い場合の初期画面の例である。
【００９３】
図１２（ａ）のデフォルト画面においては、面積の最も広い表示領域５００に給湯機能についての画面が表示されており、表示領域５１０には床暖房機能、表示領域５２０にはおふろ機能の画面が表示されている。給湯機能の画面においては、現在の給湯設定温度と設定温度変更用の操作ボタンが表示されている。床暖房機能の画面においては、現在の設定温度、設定温度変更用の操作ボタン、および暖房開始用の操作ボタンが表示されている。おふろ機能の画面においては、浴槽内のお湯の保温温度についての現在の設定温度、および自動お湯はり運転開始用の操作ボタンが表示されている。
【００９４】
図１２（ｂ）の床暖房機能の優先度が最も高い場合の初期画面においては、表示領域５００に床暖房機能についての画面が表示されており、表示領域５１０には給湯機能、表示領域５２０にはおふろ機能の画面が表示されている。表示領域５００の床暖房機能の画面においては、図１２（ａ）における表示内容に加えて、タイマー予約運転の設定画面への切換用のボタン、および、床暖房が複数の領域（部屋）に配置されている場合における使用する領域の選択ボタンが表示されている。
【００９５】
また、図１２（ｃ）のおふろ機能の優先度が最も高い場合の初期画面においては、表示領域５００におふろ機能についての画面が表示されており、表示領域５１０には床暖房機能、表示領域５２０には給湯機能の画面が表示されている。表示領域５００のおふろ機能の画面においては、図１２（ａ）における表示内容に加えて、タイマー予約運転の設定画面への切換用のボタン、および、お湯はり時の浴槽内の水位設定画面への切換用のボタンが表示されている。
【００９６】
このように、使用頻度の高い機能についての画面を、表示部における広い領域に表示することによって、使用頻度の高い機能を操作しやすくすることができる。また、当該広い領域においては、それ以外の領域に表示される場合よりも多くの表示項目および操作用品を表示することによって、使用頻度の高い機能についての操作性をさらに向上させることができる。
【００９７】
（実施例３）
実施例１および実施例２においては、操作用アプリケーション起動時の初期画面に表示する操作画面および表示用パーツの表示位置を、使用頻度に応じて変更する場合について説明した。
【００９８】
実施例３においては、温水機器１００の各機能の操作画面を選択するためのメニュー画面の表示を、使用頻度に応じて変更する例について説明する。
【００９９】
図１３は、実施例３におけるメニュー画面の表示領域を説明するための図である。図１０および図１１等に示した初期画面におけるメニュー画面表示用の操作ボタンを操作すると、携帯端末４００，４１０の表示部には、各機能ごとの操作画面を選択するための複数のアイコン（操作ボタン）が配列される。このとき、メニュー画面において、使用頻度が高い機能についてのアイコンを、使用頻度の低い機能のアイコンよりも大きく表示する。具体的には、図１３のように、表示領域５５０には大アイコンが表示され、表示領域５５１には中アイコンが表示され、表示領域５５２には小アイコンが表示される。さらに、各表示領域においては、使用頻度の高い順に右から左へ、および上段から下段へアイコンが表示される。
【０１００】
メニュー画面においては、多くのアイコンが表示されるが、使用頻度に応じてアイコンの大きさおよび表示位置を変更することで、使用頻度の高い機能のアイコンを選択しやすくすることができるので、ユーザの操作性を向上させることができる。
【０１０１】
なお、メニュー画面に表示されるアイコンの数およびアイコンの大きさについては、図１３の例以外の態様とすることも可能である。
【０１０２】
（実施例４）
メニュー画面において、選択可能なアイコンの数が多い場合には、表示部にすべてのアイコンを一度に表示できない場合が生じ得る。そのような場合には、メニュー画面を異なるレベルの複数の階層に分割したサブ画面で構成し、各サブ画面にアイコンを配置することが考えられる。このとき、使用頻度の高い機能のアイコンが下位の階層のサブ画面に配置されていると、当該アイコンを検索するためにその都度複数回の操作が必要となり、ユーザの操作性が低下し得る。
【０１０３】
実施例４においては、このようにメニュー画面が複数の階層のサブ画面から構成されるような場合に、使用頻度の高い機能に対応するアイコンを、使用頻度の低い機能に対応するアイコンよりも上位の階層のサブ画面に配置する。これによって、メニュー画面において使用頻度の高い機能のアイコンが検索しやすくなり、所望のアイコンを選択するまでのユーザの操作回数を低減することができる。したがって、ユーザの操作性を向上することができる。
【０１０４】
図１４は、実施例４におけるメニュー画面の階層を説明するための図である。図１４の例においては、メニュー画面は、メニュー画面の操作ボタンが操作された場合に最初に表示される第１メニュー画面６００と、第１メニュー画面６００からさらに選択することが可能な第２メニュー画面６１０〜第４メニュー画面６３０で構成される。すなわち、第１メニュー画面６００が上位の階層のサブ画面に対応し、第２メニュー画面６１０〜第４メニュー画面６３０が下位の階層のサブ画面に対応する。各メニュー画面には、各機能ごとの操作画面を選択するための複数のアイコンが配置されている。
【０１０５】
このとき、上位の階層の第１メニュー画面６００には、使用頻度の高い上位６番目までの機能のアイコンが配置される。それよりも使用頻度の低い機能のアイコンは、使用頻度に応じて、下位の階層の第２メニュー画面６１０〜第４メニュー画面６３０のいずれかに配置される。このようにすることによって、メニュー画面の表示が選択された場合に、使用頻度の高い機能に対応するアイコンが優先的に表示されることになるのでアイコンの検索が容易になる。したがって、ユーザの操作性を向上させることができる。
【０１０６】
なお、実施例４については、携帯端末におけるメニュー画面の場合について説明したが、リモコンにおいても複数の階層に分割されたメニュー画面を有する場合には、上記と同様の機能を適用することが可能である。
【０１０７】
（実施例５）
実施例１〜４においては、携帯端末における表示態様を使用頻度に応じて変更する構成について説明した。実施例５においては、リモコン１２０，１３０における表示態様の変更の例について説明する。
【０１０８】
リモコン１２０，１３０においては、一般的に、温水機器１００の使用中には、温水機器１００の状態を監視するための監視画面が表示される場合が多い。この場合、メニュー画面から所定の操作画面を選択して表示を切換えることによって、特定機能の開始あるいは各種パラメータの設定を実行することが可能に構成されている。
【０１０９】
また、リモコンによっては、いくつかの機能についての操作ボタンが監視画面上に配置され、メニュー画面を経由しなくても当該機能を選択することが可能とされているものがある。実施例５においては、監視画面上に操作ボタンが配置可能な構成において、使用頻度の高い機能についての操作ボタンを、監視画面上の操作ボタンの領域に割り当てることによってユーザの操作性を向上させる。
【０１１０】
図１５は、実施例５におけるリモコンについての操作画面変更機能を説明するための図である。なお、図１５では、台所リモコン１３０を例として説明するが、浴室リモコン１２０においても同様の機能が適用可能である。
【０１１１】
図１５においては、台所リモコン１３０の表示部１３４に、監視画面が表示されている状態が示されている。監視画面においては、下部の領域６５０に、３つの操作ボタン６５１〜６５３が配置されている。台所リモコン１３０の制御部１３１は、台所リモコン１３０における各機能の使用頻度に応じて、この操作ボタン６５１〜６５３に割り当てる機能を変更する。
【０１１２】
たとえば、台所リモコン１３０の操作履歴が図６で示したような場合では、使用頻度の最も高い床暖房についての操作ボタンを操作ボタン６５１に割り当て、２番目に使用頻度の高いおふろの自動運転の操作ボタンを操作ボタン６５２に割り当て、３番目に使用頻度の高い給湯温度設定の操作ボタンを操作ボタン６５３に割り当てる。これにより、使用頻度の高い機能の操作画面については、メニュー画面を経由することなく監視画面から直接選択することが可能となる。
【０１１３】
たとえば、床暖房については、冬季において主に使用されるため、使用頻度が高くなる冬季には監視画面に割り当てられる。一方で、夏季になると、床暖房の使用がほとんどなくなるため、床暖房に代えて他の使用頻度の高い操作ボタンが監視画面に割り当てられることになる。これにより、ユーザの操作性が高まる。
【０１１４】
以上のように、本実施の形態における操作画面変更機能を適用することによって、ユーザの日常的な操作に基づいて、各機能の使用頻度が判断され、その使用頻度に応じて、携帯端末および／またはリモコンの表示態様が自動的に変更される。これによって、使用頻度の高い機能についての操作画面あるいは当該操作画面を選択するためのアイコンが優先的に表示されるので、これらの機能をユーザが操作しやすくなり、ユーザの操作性を向上させることができる。
【０１１５】
なお、上記の説明においては、携帯端末４００，４１０およびリモコン１２０，１３０における各機能の使用頻度を検出するための検出手段がサーバ３００である場合を例として説明したが、各機能の使用頻度を検出するための検出手段は、必ずしもサーバ３００に設けられなくてもよい。たとえば、このような検出手段は、給湯器１１０、リモコン１２０，１３０、あるいは通信アダプタ１４０に設けられてもよい。
【０１１６】
また、実施例１〜実施例４で示した携帯端末４００，４１０の画面表示を変更する例においては、図９におけるステップＳ２３０（ユーザの変更許可）の処理については省略してもよい。
【０１１７】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【０１１８】
１  遠隔操作システム、１０  通信ネットワーク、２０  基地局、３０  管理センター、１００  温水機器、１１０  給湯器、１１１，１２１，１３１，３１０  制御部、１１２，１２２，１３２，３２０  メモリ、１１３，１２３，１３３，３３０  通信部、１１４  機器類、１１５  センサ、１２０，１３０  リモートコントローラ、１２４，１３４  表示部、１２５，１３５  操作部、１２６，１３６  通信線、１４０  通信アダプタ、１４１  通信経路、２００  無線ルータ、３００  サーバ、４００，４１０  携帯端末、４０５，４１５  タッチパネル、５００，５１０，５２０，５５０〜５５２，６５０  領域、６００〜６３０  メニュー画面、６５１，６５２，６５３  操作ボタン。
【図１】
2019205120.tif 000003
【図２】
2019205120.tif 000004
【図３】
2019205120.tif 000005
【図４】
2019205120.tif 000006
【図５】
2019205120.tif 000007
【図６】
2019205120.tif 000008
【図７】
2019205120.tif 000009
【図８】
2019205120.tif 000010
【図９】
2019205120.tif 000011
【図１０】
2019205120.tif 000012
【図１１】
2019205120.tif 000013
【図１２】
2019205120.tif 000014
【図１３】
2019205120.tif 000015
【図１４】
2019205120.tif 000016
【図１５】
2019205120.tif 000017